(57)【要約】【課題】本発明は、浄水器用本体と浄水器用カートリッジを接続して使用する浄水器において、浄水器用カートリッジが接続される浄水器用本体の原水供給部の耐久性を向上させること、およびその浄水器のための浄水器用カートリッジを提供することを目的とする。【解決手段】原水供給部を備えた浄水器用本体と、原水受入部を備えた浄水器用カートリッジからなり、前期浄水器用本体と前記浄水器用カートリッジとの着脱機構が、前記原水供給部に設けられた前記凹部と、原水受入部に設けられた、前記凹部と係合する凸部とからなるバヨネット機構である浄水器であって、前記凹部の軸方向先端部には、前記凹部の外周部から軸方向に延出する筒状リブが設けられていることを特徴とする浄水器。【選択図】図１
2015093238.tif 000002
【特許請求の範囲】
【請求項１】
原水供給部を備えた浄水器用本体と、原水受入部を備えた浄水器用カートリッジからなり、前記浄水器用本体と前記浄水器用カートリッジとの着脱機構が、前記原水供給部に設けられた凹部と、前記原水受入部に設けられた、前記凹部と係合する凸部とからなるバヨネット機構である浄水器であって、前記凹部の軸方向先端部には、前記凹部の外周部から軸方向に延出する筒状リブが設けられていることを特徴とする浄水器。
【請求項２】
前記凸部の軸方向基端部周囲には、前記筒状リブに係合する筒状段部が設けられていることを特徴とする請求項１に記載の浄水器。
【請求項３】
前記筒状リブを含む前記凹部の外周部は、その少なくとも一部が、前記凹部の内部とは別部材で構成されることを特徴とする請求項１または２に記載の浄水器。
【請求項４】
凸部が設けられた原水受入部を備え、浄水器用本体との着脱機構が、前記浄水器用本体に設けられた原水供給部の凹部と、前記凹部と係合する前記凸部とからなるバヨネット機構である浄水器用カートリッジであって、前記凹部の軸方向先端部に前記凹部の外周部から軸方向に延出するように設けられた筒状リブに係合するように、前記凸部の軸方向基端部周囲に筒状段部が設けられていることを特徴とする浄水器用カートリッジ。
【発明の詳細な説明】
【技術分野】
【０００１】
本発明は、水道水を浄化する浄水器に関し、さらに詳しくは、浄水器用本体に浄水器用カートリッジを着脱する浄水器およびその浄水器用カートリッジに関するものである。
【背景技術】
【０００２】
従来、水道水を浄化する浄水器としては、水道水栓の吐出口に直結する蛇口直結型浄水器や、シンクの上に置いて使用する据置型浄水器などが知られている。いずれも水道水を濾過する流路と、濾過せずそのまま水道水を吐出させる流路に切り換える切換弁を備え、水道水を濾過する流路に着脱可能な浄水器用カートリッジを取り付けて使用する。
【０００３】
浄水器用カートリッジに充填した濾材は処理できる総ろ過水量が限られているため、飲用など浄水を得たいときにだけ浄水器用カートリッジを取り付けた流路を選択し、バケツに水を汲むときなどには水道水を吐出させる流路を選択する使用する。
【０００４】
そして、所定の総ろ過水量を濾過し、その寿命が尽きた浄水器用カートリッジは、新しい浄水器用カートリッジに交換されることになる。一方、切換弁を備えた浄水器用本体は、一般に高価であり、交換せず、長期間使用され続けるものである。
【０００５】
浄水器用カートリッジの着脱方法としては、例えば特許文献１のように、浄水器用本体と浄水器用カートリッジとをバヨネット機構により接続する方法が提案されている。そして、そのバヨネット機構は、浄水器用本体の原水供給部（特許文献１では原水取出口）に設けられた凹部と、浄水器用カートリッジの原水受入部口（特許文献１では原水受入口）に設けられた、前記凹部と係合する凸部とからなる着脱機構であり、浄水器用カートリッジと浄水器用本体とがリングパッキンを介して互いに密着しているので、両者を水洩れ状態がない状態で容易、かつ迅速に結合することができる。
【０００６】
しかしながら、特許文献１の図１、図３に示されるように、バヨネット機構の係合部として機能する浄水器用本体の原水供給部に設けられる凹部の内側に突出した一対の凸部（特許文献１のメネジ３７ｂ）は、凹部の先端面と面一に形成され、一対の凸部の表面が外部に露出しているので、浄水器用本体を長期間使用し続ける間に、例えば浄水器用本体単体を取り外して、その汚れを清掃したりするに際し、滑って落下させたり、清掃道具をぶつけたりして、凹部の一対の凸部に割れが入ったり、欠けが生じたりする場合があり、それ以後、浄水器用本体を使用できなくなる（浄水器用カートリッジをバヨネット機構で接続することができなくなる）場合があった。
【先行技術文献】
【特許文献】
【０００７】
【特許文献１】特許第３３０３４９９号公報
【発明の概要】
【発明が解決しようとする課題】
【０００８】
本発明は、従来の技術における上記の問題点に鑑み、浄水器用本体と浄水器用カートリッジを接続して使用する浄水器において、浄水器用カートリッジが接続される浄水器用本体の原水供給部の耐久性を向上させること、およびその浄水器のための浄水器用カートリッジを提供することを目的とする。
【課題を解決するための手段】
【０００９】
上記の目的を達成するため、本発明の浄水器および浄水器用カートリッジは、下記の構成から成る。すなわち、
（１）原水供給部を備えた浄水器用本体と、原水受入部を備えた浄水器用カートリッジからなり、前記浄水器用本体と前記浄水器用カートリッジとの着脱機構が、前記原水供給部に設けられた凹部と、前記原水受入部に設けられた、前記凹部と係合する凸部とからなるバヨネット機構である浄水器であって、前記凹部の軸方向先端部には、前記凹部の外周部から軸方向に延出する筒状リブが設けられている浄水器である。
（２）前記凸部の軸方向基端部周囲には、前記筒状リブに係合する筒状段部が設けられていると好ましい。
（３）前記筒状リブを含む前記凹部の外周部は、その少なくとも一部が、前記凹部の内部とは別部材で構成されると好ましい。
（４）凸部が設けられた原水受入部を備え、浄水器用本体との着脱機構が、前記浄水器用本体に設けられた原水供給部の凹部と、前記凹部と係合する前記凸部とからなるバヨネット機構である浄水器用カートリッジであって、前記凹部の軸方向先端部に前記凹部の外周部から軸方向に延出するように設けられた筒状リブに係合するように、前記凸部の軸方向基端部周囲に筒状段部が設けられていることを特徴とする浄水器用カートリッジである。
【発明の効果】
【００１０】
本発明は、上記の構成により以下の優れた効果を奏することができる。すなわち、
上記(１)の構成により、筒状リブが、バヨネット機構の係合に関わる凹部の内部を取り囲み、保護しているので、浄水器用本体単体を落下させたりした場合でも、床面等に筒状リブを含めた外側部分がぶつかることになり、凹部の内部に欠陥が生ずる可能性が大幅に低減される。一方、凹部の内部を保護する部位の位置づけである筒状リブは、仮に一部欠けても、バヨネット機構の接続に大きな支障は生ぜず、浄水器用本体の原水供給部は機能し続けることができる。従って、浄水器用本体の原水供給部の耐久性を向上させることができる。
【００１１】
また、上記(２)の構成により、原水受入部に設けられた凸部の軸方向基端部の強度が向上する。
【００１２】
また、上記(３)の構成により、浄水器用本体およびその原水供給部の構造設計の自由度が高まる。
【００１３】
また、上記(４)の構成により、浄水器用カートリッジは、浄水器用本体に、確実に着脱して、使用することができる。
【図面の簡単な説明】
【００１４】
【図１】本発明における浄水器の一例を示す縦断面図である。
【図２】本発明における浄水器用本体の一例を示す縦断面図である。
【図３】本発明における浄水器用本体の原水供給部の近傍の一例を示す斜視図である。
【図４】本発明における浄水器用カートリッジの原水受入部の近傍の一例を示す斜視図である。
【図５】本発明における浄水器用本体と浄水器用カートリッジの着脱機構部の一例を示す拡大模式断面図である。
【図６】従来技術における浄水器用本体と浄水器用カートリッジの着脱機構部を示す拡大模式断面図である。
【発明を実施するための形態】
【００１５】
本発明における浄水器の実施形態の例を図面に基づいて説明する。
【００１６】
図１は、本発明における浄水器の一例を示した縦断面図であり、図２は、浄水器用本体の一例を示す縦断面図である。図１に示すように、この浄水器１はその内部に切換弁を内蔵した浄水器用本体２と、濾材が収納された浄水器用カートリッジ３とから構成されている。浄水器用本体２にはレバ−１１が設けられ、レバ−１１を操作することにより、水道蛇口４から流入した原水をそのままシャワ−水として吐出するか（原水シャワ−）、そのままストレ−ト水として吐出するか（原水ストレ−ト）、浄水器用カートリッジ３に供給するか、を選択して切り換えられる。浄水器用カートリッジ３に供給された原水は、活性炭などの吸着剤と中空糸膜によって濾過され、濾過水口から浄水として吐出される。
【００１７】
浄水器用本体２に設けた切換弁本体１２には、リング状のパッキン１３が装着され、水道蛇口４のおねじ部分にねじ込んだアダプタ１４を介して、取付ナット１５を切換弁本体１２にねじ込むことにより、浄水器用本体２が水道蛇口４に取り付けられるようになっている。
【００１８】
図２に示すように、切換弁本体１２の内部は、３個の通水路１６ａ、１６ｂ、１６ｃを開設した区画板１７によって、上部室１８と下部室１９とに区画されている。上部室１８には、３個のボ−ル（弁体）２０ａ、２０ｂ、２０ｃが、３個の通水路１６ａ、１６ｂ、１６ｃに対応するように配置されている。ボ−ル２０ａが通水路１６ａにはまり通水路１６ａが閉じた状態で、ボ−ル２０ａの下端部が下部室１９に突出するようになっている。ボ−ル１６ｂ、１６ｃについても同様である。 円筒状の下部室１９には、弁軸２１が回転可能に挿着され、かつ弁軸２１の所定位置に配設したＯリング２２ａ、２２ｂ、２２ｃが、下部室１９の内壁面と水密的に係合している。これによって下部室１９は３つに区画され、通水路１６ａから浄水器用カートリッジ３に水道水を供給する原水供給口２３へ通じる流路２４ａと、通水路１６ｂから原水ストレ−ト口２９へ通じる流路２４ｂと、通水路１６ｃから原水シャワ−口２５へ通じる流路２４ｃとを形成している。弁軸２１には、通水路１６ａ、１６ｂ、１６ｃに対向する位置に、カム部２６ａ、２６ｂ、２６ｃが設けられている。これらカム部２６ａ、２６ｂ、２６ｃは、弁軸２１を例えば９０゜ずつ回転させることにより選択的に上方を向き、下部室１９に突出したボ−ルの下端部を押し上げて通水路を開くことができるようになっている。すなわち、弁軸２１を所定角度回動することで、通水路１６ａ、１６ｂ、１６ｃのいずれかを開放し、水道蛇口４から流入した水道水をそのままシャワ−水として吐出するか、そのままストレ−ト水として吐出するか、浄水器用カートリッジ３に供給するか、を選択できる。
【００１９】
浄水器用本体２の側部には、浄水器用カートリッジ３に原水を供給する原水供給部２７が設けられている。原水供給部２７と、浄水器用カートリッジ３の原水受入部３２は、バヨネット機構により着脱が可能に構成されている。原水供給部２７の詳細については後述する。
【００２０】
次に、浄水器用カートリッジ３について説明する。浄水器用カートリッジ３は、その容器３１の側部に、原水受入部３２が設けられている。原水受入部３２の詳細については後述する。容器３１の下部には、原水を濾過して浄化水として吐出する複数のシャワ−孔（濾過水口）３３が設けられている。
【００２１】
容器３１の内部底面に形成された円筒状突起３１ａには円筒ケース３４の下端がＯリング３５を介して嵌入立設され、この円筒体３４上下端外周面がリング状のフィルタ３６、３７で容器３１の内壁面に固定されている。円筒ケース３４の内部には、複数本の中空糸膜を束ねて逆Ｕ字状に折り曲げて収納した中空糸膜束３８が配備されている。中空糸膜の両端末は、円筒体３４の下部にて各中空糸間の隙間および中空糸と円筒ケース３４の間に封止剤としての二液硬化型樹脂３９を混合充填して封止固定（ポッティング）されている。容器３１へ嵌入する前にポッティング部を一部切断除去しているので、各中空糸の末端は濾過水口３３に向かって開口している。円筒ケース３４と容器３１の内壁面との間には活性炭、ゼオライト、イオン交換樹脂、キレ−ト樹脂などからなる吸着剤４０が配備されている。また、容器３１の上部は、中空糸膜束３８と吸着剤４０が容易に充填できるよう開口しており、中空糸の汚れ具合が外部からよく見えるように透明キャップ４１が嵌入されている。さらに透明キャップ４１の上部には蓋４２が容器３１と着脱自在に設けられている。
【００２２】
次に、浄水器本体２と浄水器用カートリッジ３との着脱機構であるバヨネット機構について説明する。図３は、本発明における浄水器用本体の原水供給部の近傍の一例を示す斜視図であり、図４は、本発明における浄水器用カートリッジの原水受入部の近傍の一例を示す斜視図である。また、図５は、本発明における浄水器用本体と浄水器用カートリッジの着脱機構部の一例を示す拡大模式断面図である。
【００２３】
バヨネット機構は、図３〜図５に示すもので、浄水器用本体２の原水供給部２７に設けられた凹部２８と、浄水器用カートリッジ３の原水受入部３２に設けられた凸部４４とから構成され、凹部２８と凸部４４とが係合されるようになっている着脱機構である。
【００２４】
凹部２８は略円穴形状であり、凸部４４は略筒状（円筒状）である。もちろん、凹部および凸部において、バヨネット機構としての回転して係合する機能に関わらない部分は、円形でなくともよく、角形などにすることも可能である。また凹部および凸部の中央付近の貫通口（原水供給口２３および原水受入口４３）は原水の流路であるが、その流路断面形状は必ずしも円形である必要はなく、楕円形や半円形などの形状でもよく、また流路はバヨネット機構の回転軸と同軸である必要はなく、偏心していてもよいし、斜行していてもよい。
【００２５】
図３、図５に示すように、原水供給部２７の凹部２８の中央には原水供給口２３が配され、原水供給口２３を囲むようにリング状部材である接続用パッキン５１（シール部材）が装着されている。
【００２６】
原水供給部２７の凹部２８の軸方向先端部には、凹部２８の外周部から軸方向に延出する筒状リブ５５が、設けられている。
【００２７】
また、筒状リブ５５の奥側には、円穴形状である凹部２８の内周面の対向した位置に一対の第１凸部５２ａ、５２ｂが、内側に向かって突出して設けられている。第１凸部５２ａと５２ｂは中心対称形状である。ただし、中心対称形状であると強度的にバランスが良いが、必ずしも中心対象形状でなくても良い。
【００２８】
筒状リブ５５は、第１凸部５２ａ、５２ｂなど、バヨネット機構の係合に関わる凹部２８の内部を取り囲み、保護するように配されている。
【００２９】
一方、比較として示す従来技術である図６の原水供給部６１では、凹部の内側に突出した一対の第１凸部６２ａ、６２ｂは、凹部の先端面と面一に形成され、外部に露出している。
【００３０】
本実施形態例では、上記のような構成のため、浄水器本体３を落下させたりした場合でも、床面等に筒状リブ５５を含めた凹部２８の外側部分がぶつかることになり、凹部２８の内部にある第１凸部５２ａ、５２ｂの割れや欠けといった欠陥が生ずる可能性が大幅に低減される。一方、凹部２８の内部を保護する部位の位置づけである筒状リブ５５は、仮に一部欠けても、バヨネット機構の接続に大きな支障は生ぜず、浄水器用本体２の原水供給部２７は機能し続けることができる。従って、浄水器用本体２の原水供給部２７の耐久性を向上させることができる。このように筒状リブ５５は、凹部２８の内部を囲って保護する部位であり、その軸方向長さは１ｍｍ以上で、その径方向厚さも１ｍｍ以上であると、保護効果がより高くなるので好ましい。また、長さも厚さも５ｍｍ以下であると、原水供給部２７の寸法をコンパクトにすることができるので、より好ましい。
【００３１】
また、第１凸部の強度を高く保つこと、通水時の水圧による負荷に対する安全係数を大きく保つこと、後述の第２凸部を大きく保つこと、第２凸部の強度を高く保つことなどの観点から、第１凸部５２ａ、５２ｂの角度θ１は各々３０〜１５０度が好ましい。また、第１凸部に生じる面圧を低く保つこと、第１凸部の強度を高く保つこと、後述の原水受入部３２の外径との兼ね合いから原水受入口４３の断面積を大きく保ち、圧力損失を小さく抑え流量を確保することなどの観点から、高さＨ１は円穴形の内径の５〜２０％が好ましい。なお、第１凸部５２ａと５２ｂの厚さは一定である。
【００３２】
接続部パッキン５１には、シリコーンゴム、エチレンプロピレンゴム、ニトリルゴムなどが用いられる。ＪＩＳ  Ａ硬度３０〜８０度のゴムが用いられるが、耐圧性と樹脂部材への負荷などを勘案すると４５〜６０度が好ましい。
【００３３】
接続用パッキン５１の両端面が液密用のシール面であり、凹部２８が原水受入部３２に設けられた凸部４４と係合した時に、接続用パッキン５１が軸方向に押圧され、つぶれることにより、浄水器用本体２と浄水器用カートリッジ３との間の液密のシールが達成される。
【００３４】
図２に示されるように、本実施形態例では、筒状リブ５５を含む凹部２８の外周部の下半部は、浄水器用本体２のケーシングの一部として形成されている。また、筒状リブ５５を含む凹部２８の外周部の上半部と、第１凸部５２ａと５２ｂなど凹部２８の内部は、切換弁本体１２の一部として形成されている。すなわち、筒状リブを含む凹部２８の外周部は、その少なくとも一部が、凹部２８の内部とは別部材で構成されている。
【００３５】
変形実施形態例として、筒状リブを含めた凹部の外周部の全てを、浄水器用本体のケーシングの一部として形成し、凹部の内部の全てを切換弁本体の一部として形成し、両者を別部材で構成することもできる。
このように、筒状リブを含む凹部の外周部の少なくとも一部が、凹部の内部とは別部材で構成することは、浄水器用本体およびその原水供給部の構造設計の自由度を高めることに繋がり、好ましいものである。
【００３６】
もちろん、凹部の全て（筒状リブを含めた凹部の外周部全て、および凹部の内部の全て）を１つの部材で（例えば、切換弁本体の一部として）、形成することも可能である。
【００３７】
図４、図５に示すように、原水受入部３２の凸部４４の中央付近には原水受入口４３が配されている。円筒形の凸部４４の開口端面近傍には、一対の第２凸部５４ａ、５４ｂが外側に向かって突出している。第２凸部５４ａと５４ｂは中心対称形状である。ただし、中心対称形状であると強度的にバランスが良いが、必ずしも中心対象形状でなくても良い。
【００３８】
また、第２凸部の強度を高く保つこと、通水時の水圧による負荷に対する安全係数を大きく保つこと、前述の第１凸部を大きく保つこと、第１凸部の強度を高く保つことなどの観点から、第２凸部５４ａ、５４ｂの角度θ２は各々３０〜１５０度が好ましい。また、第２凸部に生じる面圧を低く保つこと、第２凸部の強度を高く保つこと、前述の原水供給部２７の凹部２８の口径をコンパクトに保つことなどの観点から、高さＨ２は円筒形の外径の５〜２０％が好ましい。
【００３９】
第２凸部５４ａ、５４ｂの奥側、すなわち円筒形の先端面から離れる側にストッパ５３ａ、５３ｂが設けられている。ストッパ５３ａ、５３ｂは両方設けても、いずれか一方だけ設けても構わない。
【００４０】
第２凸部５４ａ、５４ｂは端部が薄く、周方向に沿うに従い、徐々に厚くし、ストッパ５３ａ、５３ｂに近い部分は厚みを一定にしている。
【００４１】
凸部４４の軸方向基端部周囲には、筒状リブ５５に係合する筒状段部５６が設けられている。この筒状段部５６は、凸部４４の軸方向基端部の強度を向上するのに役立っている。もちろん、筒状段部５６がなく、凸部４４の軸方向基端部が、すぐに浄水器用カートリッジ３の外面に連なっていてもよい。
【００４２】
上記のような構成を有する浄水器１において、浄水器用本体２に浄水器用カートリッジ３をバヨネット機構により接続する方法について説明する。
【００４３】
第１ステップとして浄水器用カートリッジ３を水平にして、その原水受入部３２の凸部４４を、浄水器用本体２の原水供給部２７の凹部２８に挿入する。この時、凸部４４に設けた一対の第２凸部５４ａ、５４ｂのθ２と、凹部２８に設けた一対の第１凸部５２ａ、５２ｂのθ１とを適宜設計することにより、一対の第２凸部５４ａ、５４ｂと、一対の第１凸部５２ａ、５２ｂとが干渉せずに挿入できるようになっている。本実施形態例においては、図３に示すようにθ１を約５０度、図４に示すようにθ２を約１２０度としている。一対の第１凸部５２ａ、５２ｂのθ１の角度が異なる場合や、一対の第２凸部５４ａ、５４ｂのθ２の角度が異なる場合であっても、前述のθ１、θ２の好ましい範囲を満たしつつ、一対の第１凸部５２ａ、５２ｂの各θ１と、一対の第２凸部５４ａ、５４ｂの各θ２の合計が３６０度を超えない範囲で設計すれば同様の効果を得ることができる。
【００４４】
第２ステップとして浄水器用カートリッジ３を時計方向に回転させると、凸部４４の第２凸部５４ａ、５４ｂの厚みの変化により、浄水器用カートリッジ３が浄水器用本体２に近付くようになっている。同時に接続用パッキン５１はつぶれていく。最終的に、浄水器用カートリッジ３を９０度回転させると、原水供給部２７の凹部２８に設けた第１凸部５２ａ、５２ｂが、原水受入部３２の凸部４４に設けたストッパ５３ａ、５３ｂに当接し、回転は停止される。この時、接続用パッキン５１のつぶししろは大きくなり、原水供給部２７と原水受入部３２との間（すなわち、浄水器用本体２と浄水器用カートリッジ３との間）を確実に液密に保つことができる。同時に、凹部２８に設けた第１凸部５２ａ、５２ｂが、凸部４４の第２凸部５４ａ、５４ｂに係合、当設し、接続用パッキン５１がつぶされたことによる反発力を受け止める。また、この時に浄水器用カートリッジ３は直立し、シャワ−孔（濾過水口）３３が真下を向くようになっている。
【００４５】
浄水器用本体２から浄水器用カートリッジ３を取り外す場合は、上記２つのステップを逆の順序で行えばよい。
【００４６】
このようにして、本発明の実施形態例である浄水器１においては、２つのステップのみで、浄水器用本体２に対する浄水器用カートリッジ３の着脱を行うことができ、その作業は非常に容易である。
【００４７】
また、凸部４４の軸方向基端部周囲には、筒状リブ５５に係合する筒状段部５６が設けられているので、浄水器用本体２に浄水器用カートリッジ３を接続して浄水器１を使用している際に、キッチンシンクでの洗い物からの汚水が、凹部２８の先端面（筒状リブ５５の先端面）と凸部４４の基端部周囲面（筒状段部５６の鉛直面）との間に入ってきたとしても、汚水は筒状段部５６の円筒面をつたって、下方外部に流れ出るので、汚水が凹部２８の内部に浸入することはなく、長期間使用する浄水器用本体２の凹部２８の内部が黒ずんだり、かびが繁殖したりして不衛生になる可能性は少ない。一方、図６に示すような従来技術の浄水器においては、凹部の先端面と凸部の基端部周囲面に入ってきた汚水は、凸部に設けられるストッパ（ストッパ５３ａ、５３ｂと同様のもの）によって、下方への流れをさえぎられ、軸方向に流れを変えて凹部内部に浸入してしまい、凹部内部が不衛生になる場合があった。
【００４８】
浄水器用本体２に浄水器用カートリッジ３を接続した後、切換弁を浄水状態にして水栓を開くと、水道水は浄水器用カートリッジ３に流入し、まず吸着材４０と接触して、水道水中の遊離残留塩素が分解され、同時に水道水中の揮発性有機物が吸着除去される。次に水は吸着材４０の内部の中空糸膜束３８に到達する。水は中空糸膜の外径側から内径側に流れ、水中の濁質や細菌が中空糸膜に捕捉される。中空糸膜を通過した浄水はシャワ−孔（濾過水口）３３から吐出される。使用者は美味しくて安全な浄水を得ることができる。
【産業上の利用可能性】
【００４９】
本発明は、蛇口直結型浄水器、据置型浄水器やアンダーシンク型浄水器での浄水器用本体と接続ホースの着脱機構などの浄水器分野全般に応用できるが、これらに限定されるものではない。
【符号の説明】
【００５０】
１  浄水器
２  浄水器用本体
３  浄水器用カートリッジ
４  水道蛇口
１１  レバー
１２  切換弁本体
１３  パッキン
１４  アダプタ
１５  取付ナット
１６ａ  通水路
１６ｂ  通水路
１６ｃ  通水路
１７  区画板
１８  上部室
１９  下部室
２０ａ  ボール
２０ｂ  ボール
２０ｃ  ボール
２１  弁軸
２２ａ  Ｏリング
２２ｂ  Ｏリング
２２ｃ  Ｏリング
２３  原水供給口
２４ａ  流路
２４ｂ  流路
２４ｃ  流路
２５  原水シャワー口
２６ａ  カム部
２６ｂ  カム部
２６ｃ  カム部
２７  原水供給部
２８  凹部
２９  原水ストレート口
３１  容器
３１ａ  円筒状突起
３２  原水受入部
３３  シャワー孔
３４  円筒ケース
３５  Ｏリング
３６  フィルタ
３７  フィルタ
３８  中空糸膜束
３９  二液硬化型樹脂
４０  吸着剤
４１  透明キャップ
４２  蓋
４３  原水受入口
４４  凸部
５１  接続用パッキン
５２ａ  第１凸部
５２ｂ  第１凸部
５３ａ  ストッパ
５３ｂ  ストッパ
５４ａ  第２凸部
５４ｂ  第２凸部
５５  筒状リブ
５６  筒状段部
６１  原水供給部
６２ａ  第１凸部
６２ｂ  第１凸部
６３  原水受入部
【図１】
2015093238.tif 000003
【図２】
2015093238.tif 000004
【図３】
2015093238.tif 000005
【図４】
2015093238.tif 000006
【図５】
2015093238.tif 000007
【図６】
2015093238.tif 000008